(57)【要約】      （修正有）【課題】装置の大型化を生じることなく、通電ケーブルを効果的に配線可能な画像読取装置及び複合機を提供する。【解決手段】複合機は、画像形成装置の上に画像読取装置２０を備えている。画像読取装置２０は、ベース部材と、天板部材２２と、キャリッジ４１と、読取部４０と、第１駆動部５０とを備えている。また、画像読取装置２０は、ベース部材の周壁２３Ｂを外側から覆う外装カバー２４をさらに備えている。外装カバー２４の内面２４Ｓと周壁２３Ｂの外面２３Ｓとは対向しており、外装カバー２４の内面２４Ｓと周壁２３Ｂの外面２３Ｓとの間には第１収納空間２７Ａが形成されている。第１収納空間２７Ａ内には、第１駆動部５０と接続される第１通電ケーブル５１Ａ、５１Ｂが収容されている。【選択図】図８
2014120864.tif 000002
【特許請求の範囲】
【請求項１】
底壁面と、前記底壁面から上方に突出し、内側に移動空間を形成する周壁とを有するベース部材と、
前記周壁によって支持され、前記底壁面と間隔を有して対向するとともに、前記移動空間を覆うプラテンガラスを有する天板部材と、
前記移動空間内を基端側から終端側まで延びる走査方向に往復動するキャリッジと、
前記移動空間内で前記プラテンガラスに対向するように前記キャリッジに支持され、前記キャリッジの往復動により、前記プラテンガラス上に配置される被読取媒体の画像を読み取る読取部と、
前記ベース部材に支持され、前記キャリッジを往復移動させる第１駆動部と、を備えた画像読取装置であって、
前記周壁を外側から覆う外装カバーをさらに備え、
前記外装カバーの内面と前記周壁の外面とは対向しており、
前記外装カバーの内面と前記周壁の外面との間には収納空間が形成され、
前記収納空間内には、前記第１駆動部と接続される第１通電ケーブルが収容されていることを特徴とする画像読取装置。
【請求項２】
前記ベース部材、前記天板部材及び前記外装カバーはフラットベッドスキャナ部を構成し、
前記フラットベッドスキャナ部に揺動可能に支持され、前記プラテンガラスの上面を覆う位置と開放する位置との間で変位可能なカバー部材をさらに備え、
前記カバー部材は、前記被読取媒体を搬送しながら前記読取部によって画像を読み取るための搬送部を備え、に前記被読取媒体を搬送する第２駆動部を有し、
前記収納空間内には、前記搬送部を駆動する第２駆動部と接続される第２通電ケーブルが収容されている請求項１記載の画像読取装置。
【請求項３】
前記カバー部材は、前記プラテンガラスの上面に支持される前記被読取媒体の厚さに応じて上下方向に変位可能であり、
前記第２通電ケーブルは、前記カバー部材における上下方向の変位に追従するための撓み部位を有し、
前記収納空間内に前記撓み部位が収容されている請求項２記載の画像読取装置。
【請求項４】
前記カバー部材は、前記プラテンガラスの上面を覆う位置と開放する位置との間で変位するように、前記キャリッジの移動方向と平行な揺動軸心周りで揺動可能に支持され、
前記収納空間は、前記キャリッジの移動方向の両端に位置する第１収納空間と、前記揺動軸心側に位置する第２収納空間とを有し、
前記第１通電ケーブルは、両端の前記第１収納空間の一方に収容され、
前記第２通電ケーブルは、前記第２収納空間に収容されている請求項２又は３記載の画像読取装置。
【請求項５】
前記ベース部材には、前記周壁から前記外装カバーに向かって延び、前記収納空間内を区画する区画壁が形成され、
前記第１通電ケーブルは前記区画壁に支持されている請求項１乃至４のいずれか１項記載の画像読取装置。
【請求項６】
前記区画壁は、前記周壁から水平方向に延びてさらに上方に延びる断面がＬ字状をしている請求項５記載の画像読取装置。
【請求項７】
前記天板部材には、下面から前記収納空間内に向かって下方に延び、前記区画壁と重複する突出壁が形成されている請求項５又は６記載の画像読取装置。
【請求項８】
前記区画壁は、前記周壁に沿って設けられている請求項６乃至７のいずれか１項記載の画像読取装置。
【請求項９】
請求項１乃至８のいずれか１項記載の画像読取装置と、
前記画像読取装置を下方から支持し、画像形成部を内蔵する本体部とを備え、
前記ベース部材、前記天板部材及び前記外装カバーはフラットベッドスキャナ部を構成し、
前記フラットベッドスキャナ部は前記本体部よりも水平方向で大きく、
前記外装カバーは、前記カバー部材側から前記本体部まで連続して傾斜し、
前記収納空間のうち少なくとも前記キャリッジの移動方向の両端に位置するものは、下方で幅が狭く、上方で幅が広く形成されていることを特徴とする複合機。
【請求項１０】
前記本体部は、前記第１駆動部を制御する基板を有し、
前記第１通電ケーブルは、前記基板と前記第１駆動部とを接続する接続線と、前記第１駆動部を接地するためのアース線とを含む請求項９記載の複合機。
【請求項１１】
前記画像読取装置は、前記本体部の上面に対して前記キャリッジの移動方向と平行な揺動軸心周りで開閉可能に支持され、
前記収納空間は、前記キャリッジの移動方向の両端に位置する第１収納空間と、前記揺動軸心側に位置する第２収納空間とを連続して有し、
前記第１通電ケーブルは、両端の前記第１空間の一方から前記第２収納空間を通って前記本体部に延びている請求項９又は１０記載の複合機。
【発明の詳細な説明】
【技術分野】
【０００１】
本発明は、画像読取装置と、この画像読取装置を備えた複合機とに関する。
【背景技術】
【０００２】
特許文献１に従来の複合機の例が開示されている。この複合機は、画像読取装置と、この画像読取装置を下方から指示し、用紙上に画像を形成する画像形成部を内蔵する本体部とを備えている。画像読取装置は、ベース部材と、天板部材と、キャリッジと、読取部と、駆動部とを備えている。
【０００３】
ベース部材は、底壁面と、この底壁面から上方に突出し、内側に移動空間を形成する周壁とを有している。天板部材は、周壁の上縁によって支持され、ベース部材の底壁面と間隔を有して対向するとともに、移動空間を覆うプラテンガラスを有している。キャリッジは、移動空間内を基端側から終端側まで延びる走査方向に往復動する。読取部は、移動空間内でプラテンガラスに対向するようにキャリッジに支持され、キャリッジの往復動により、プラテンガラス上に配置される被読取媒体の画像を読み取る。駆動部は、ベース部材に支持され、キャリッジを往復移動させる。
【０００４】
この複合機では、ベース部材、天板部材、キャリッジ、読取部、第1駆動部によりフラットベッドスキャナスキャナを構成しており、フラットベッドスキャナスキャナには、プラテンガラスの上面を覆う位置と開放する位置とに変位するカバー部材が支持されている。また、カバー部材の上面には、自動原稿搬送部が載置されている。
【先行技術文献】
【特許文献】
【０００５】
【特許文献１】特開２００６−１１９２３６号公報
【発明の概要】
【発明が解決しようとする課題】
【０００６】
近年、画像読取装置やこの画像読取装置を備えた複合機は、搭載される機能が増加するに従い、通電ケーブルが増加する傾向にある。このため、画像読取装置や複合機において、これらの通電ケーブルを配線するための専用のスペースを確保しようとすると、装置自体が大型化するという問題がある。また、配線のために装置の他の構成部品の配置に無理が生じ、結果的に、装置が大型化することも考えられる。特に、画像読取装置や複合機では、通電ケーブルにノイズ等の悪影響を与える構成部品もあり、そのような構成部品を避けて通電ケーブル等を配線する必要もある。
【０００７】
本発明は、上記従来の実情に鑑みてなされたものであって、装置の大型化を生じることなく、通電ケーブルを効果的に配線可能な画像読取装置及び複合機を提供することを目的とする。
【課題を解決するための手段】
【０００８】
本発明の画像読取装置は、底壁面と、前記底壁面から上方に突出し、内側に移動空間を形成する周壁とを有するベース部材と、
前記周壁によって支持され、前記底壁面と間隔を有して対向するとともに、前記移動空間を覆うプラテンガラスを有する天板部材と、
前記移動空間内を基端側から終端側まで延びる走査方向に往復動するキャリッジと、
前記移動空間内で前記プラテンガラスに対向するように前記キャリッジに支持され、前記キャリッジの往復動により、前記プラテンガラス上に配置される被読取媒体の画像を読み取る読取部と、
前記ベース部材に支持され、前記キャリッジを往復移動させる第１駆動部と、を備えた画像読取装置であって、
前記周壁を外側から覆う外装カバーをさらに備え、
前記外装カバーの内面と前記周壁の外面とは対向しており、
前記外装カバーの内面と前記周壁の外面との間には収納空間が形成され、
前記収納空間内には、前記第１駆動部と接続される第１通電ケーブルが収容されていることを特徴とする。
【０００９】
本発明の画像読取装置では、外装カバーの内面とベース部材の周壁の外面との間に形成された収納空間に第１通電ケーブルを収容し、収納空間を有効に活用している。第１通電ケーブルの一端はベース部材の下方に設けられ得る基板等に接続され、第１通電ケーブルの他端は第１駆動部に接続される。このため、ベース部材周りをすっきりさせることができる。換言すれば、第１通電ケーブルの配線のために別途スペースを確保する必要がなく、画像読取装置の大型化を抑制できる。
【００１０】
したがって、本発明の画像読取装置は、大型化を生じることなく、通電ケーブルを効果的に配線可能である。
【００１１】
ベース部材、天板部材及び外装カバーはフラットベッドスキャナ部を構成し得る。そして、本発明の画像読取装置においては、フラットベッドスキャナ部に揺動可能に支持され、プラテンガラスの上面を覆う位置と開放する位置との間で変位可能なカバー部材をさらに備え得る。このカバー部材は、被読取媒体を搬送しながら読取部によって画像を読み取るための搬送部を備え、収納空間内には、搬送部を駆動する第２駆動部を駆動する第２通電ケーブルが収容されていることが望ましい。
【００１２】
上記構成によれば、カバー部材が有する第２駆動部に接続される第２通電ケーブルも収納空間に収容することができ、収納空間をさらに有効に活用している。第２通電ケーブルの一端はベース部材の下方に設けられ得る基板等に接続され、第２通電ケーブルの他端は第２駆動部に接続される。このため、カバー部材周りもすっきりさせることができる。換言すれば、第２通電ケーブルの配線のために別途スペースを確保する必要もなく、画像読取装置の大型化をより抑制できる。
【００１３】
また、上記構成において、カバー部材は、プラテンガラスの上面に載置される被読取媒体の厚さに応じて上下方向に変位可能であり得る。そして、第２通電ケーブルは、カバー部材における上下方向の変位に追従するための撓み部位を有し得る。収納空間内にその撓み部位が収容されていることが望ましい。
【００１４】
上記構成によれば、撓み部位はカバー部材の上下方向の変位に必須であり、この撓み部位を収容するために専用のスペースを確保する必要がなく、無理なく、撓み部位を収納空間内に収容することができる。
【００１５】
また、上記構成において、カバー部材は、プラテンガラスの上面を覆う位置と開放する位置との間で変位するように、キャリッジの移動方向と平行な揺動軸心周りで揺動可能に支持され得る。収納空間は、キャリッジの移動方向の両端に位置する第１収納空間と、揺動軸心側に位置する第２収納空間とを有し得る。第１通電ケーブルは、両端の第１収納空間の一方に収容され、第２通電ケーブルは、第２収納空間に収容されていることが望ましい。
【００１６】
上記構成によれば、第１通電ケーブルと第２通電ケーブルとが収納空間の別々の位置に収容されるため、画像読取装置の大型化をより確実に抑制できる。
【００１７】
本発明の画像読取装置において、ベース部材には、周壁から外装カバーに向かって延び、収納空間内を区画する区画壁が形成され得る。第１通電ケーブルはその区画壁に支持されていることが望ましい。この場合、区画壁により、収納空間内で第１通電ケーブルの位置を安定させることができる。また、組み立て時に区画壁により第１通電ケーブルを配線し易い。
【００１８】
区画壁は、周壁から水平方向に延びてさらに上方に延びる断面がＬ字状をしていることが望ましい。この場合、上方に延びた区画壁と周壁との間に溝が形成され、開放された上側から第１通電ケーブルを溝内に容易に収容することができる。また、外部からの埃等が移動空間内に進入するより前に溝内で止められ、移動空間内に埃等が進入し難い。このため、読取部が埃等の影響を受けず、読取部による読取精度が低下することを抑制することができる。
【００１９】
また、天板部材には、下面から収納空間内に向かって下方に延び、区画壁と重複する突出壁が形成されていることが望ましい。この場合、下方に延びる突出壁が区画壁と重複しているため、埃等がより移動空間内に進入し難く、読取部による読取精度が低下することをさらに抑制することができる。この突出壁は、区画壁に対して外側で重複してもよく、内側で重複してもよい。
【００２０】
区画壁は、周壁に沿って設けられていることが望ましい。この場合、第１通電ケーブルを支持していない区画壁も埃等の進入を防止する役目を果たすことができる。区隔壁は周壁が延設される範囲内で可能な限り長く設けることが有効である。
【００２１】
本発明の複合機は、上記画像読取装置と、
前記画像読取装置を下方から支持し、画像形成部を内蔵する本体部とを備え、
前記ベース部材、前記天板部材及び前記外装カバーはフラットベッドスキャナ部を構成し、
前記フラットベッドスキャナ部は前記本体部よりも水平方向で大きく、
前記外装カバーは、前記カバー部材側から前記本体部まで連続して傾斜し、
前記収納空間のうち少なくとも前記キャリッジの移動方向の両端に位置するものは、下方で幅が狭く、上方で幅が広く形成されていることを特徴とする。
【００２２】
本発明の複合機では、本体部をフラットベッドスキャナ部よりも水平方向で小さくすることで、設置面積を小さくすることができる。そして、外観を小さく見せるために傾斜形状が有効であり、その結果として形成される収納空間を通電ケーブルの配置に有効活用できる。
【００２３】
本発明の複合機において、本体部は、第１駆動部を制御する基板を有し得る。第１通電ケーブルは、基板と第１駆動部とを接続する接続線と、第１駆動部を接地するためのアース線とを含むことが望ましい。
【００２４】
この構成によれば、第１通電ケーブルは、装置の大型化を抑えて接続線とアース線とをともに収納空間に配置され、かつ接続線は下方の本体部内の基板と接続される。
【００２５】
画像読取装置は、本体部の上面に対してキャリッジの移動方向と平行な揺動軸心周りで開閉可能に支持され得る。収納空間は、キャリッジの移動方向の両端に位置する第１収納空間と、揺動軸心側に位置する第２収納空間とを連続して有し得る。第１通電ケーブルは、両端の第１空間の一方から第２収納空間を通って本体部に延びていることが望ましい。
【００２６】
この構成によれば、第１通電ケーブルは、キャリッジの移動方向の端の第１収納空間から揺動軸心側の第２収納空間を通って下方の本体部に延びることで、装置の大型化を抑えて配置することができる。
【図面の簡単な説明】
【００２７】
【図１】実施例の画像読取装置を備えた複合機の斜視図である。
【図２】実施例の画像読取装置部分を断面にした複合機の正面図である。
【図３】実施例の複合機の側面図である。
【図４】実施例の画像読取装置の分解斜視図である。
【図５】実施例の画像読取装置の水平断面図である。
【図６】実施例の画像読取装置の天板部材の一部を下方から見た斜視図である。
【図７】実施例の画像読取装置のベース部材の一部を上方から見た斜視図である。
【図８】実施例の画像読取装置の一部拡大縦断面図である。
【図９】図８の部分に対応する水平断面図である。
【発明を実施するための形態】
【００２８】
以下、本発明を具体化した実施例を図面を参照しつつ説明する。
【００２９】
１．複合機の概略構成
図１に示すように、実施例の複合機１０は、例えば、原稿である被読取媒体の画像を読み取って電子データ化する画像読取装置２０と、用紙やＯＨＰシートである被記録媒体に画像を形成する画像形成装置３０とを備えている。そして、この複合機１０は、画像読取装置２０で読み取った電子データに基づき、画像形成装置３０により被記録媒体上に画像を形成したり（コピー機能）、外部と通信処理をして読み取った画像データを外部に送信したり（ＦＡＸ送信機能）、外部から受信した画像データに基づいて被記録媒体上に画像を形成したり（ＦＡＸ受信機能）することが可能になっている。
【００３０】
２．画像形成装置
画像形成装置３０は、図３に示すように、その外装をなす本体部３１内に画像形成部３２を内蔵している。画像形成部３２としては、例えば、被記録媒体上にインクジェット方式によりインクを付着させたり、電子写真方式によりトナーを付着させたりする公知の各種構造が用いられている。
【００３１】
画像形成部３２の下方には、被記録媒体を収容する給紙トレイ３３Ａ、３３Ｂが配置されている。図１及び図２に示すように、本体部３１の前面には、画像形成後の被記録媒体を排出する排出口３４が開口している。画像読取装置２０の後面には、後述するヒンジ部２６，６２間に開口が（図示せず）あり、これをカバー（図示せず）が開閉可能に覆っている。このカバーを手差しトレイとして、その開放状態において、被記録媒体は斜め上方から画像形成部３２に供給される。
【００３２】
３．画像読取装置
図２に示すように、画像読取装置２０は、フラットベッドスキャナ部２１と、そのフラットベッドスキャナ部２１上に設けられた自動原稿搬送部６１とを備えている。自動原稿搬送部６１は、その下側面が、フラットベッドスキャナ部２１上の原稿を押さえるカバー部材を兼ねている。フラットベッドスキャナ部２１は、図４に示すように、天板部材２２と、その天板部材２２の下において箱状をなすベース部材２３と、ベース部材２３の外周の一部を囲う一対の外装カバー２４とを備えている。
【００３３】
図４及び図６に示すように、天板部材２２は、外周枠２２Ａの内側において、原稿の平面サイズに対応し、原稿を支持するプラテンガラス２２Ｂと、自動原稿搬送部６１により搬送される原稿と対向する搬送読取ガラス２２Ｃとを固定した状態で支持している。
【００３４】
図４に示すように、ベース部材２３は、天板部材２２に対して平面視においてひと回り小さく、かつ天板部材２２と間隔をおいて位置する底壁面２３Ａと、底壁面２３Ａの外周から上方に突出する周壁２３Ｂとを有している。ベース部材２３は、周壁２３Ｂの内側に移動空間Ｓを形成している。図５に示すように、移動空間Ｓ内にはキャリッジ４１が、移動空間Ｓ内の左側を基端、右側を終端として左右方向に往復移動可能に設けられている。
【００３５】
図８に示すように、各外装カバー２４はベース部材２３に固着されている。外装カバー２４の内面２４Ｓとベース部材２３の周壁２３Ｂの外面２３Ｓとは間隔をおいて対向し、収納空間２７が形成されている。外装カバー２４は、上下方向において周壁２３Ｂとほぼ同じ高さを有している。また、外装カバー２４は、図５に示すように、平面視において左右両側の周壁２３Ｂの前後方向に沿って延び、さらに後側における周壁２３Ｂの後面のヒンジ部２６、２６を覆う位置まで延びている。また、外装カバー２４は、前側においても、操作パネル２５が位置する部分を除いて、前面の周壁２３Ｂを覆っている。その結果、収納空間２７は、キャリッジ４１の移動方向の両端に位置する第１収納空間２７Ａと、ヒンジ部２６、２６側に位置する第２収納空間２７Ｂとからなる。
【００３６】
図８に示すように、天板部材２２の外周枠２２Ａは、平面視において外装カバー２４の上端とほぼ対応する外形を有している。外周枠２２Ａは、その外周の下面から下方に突出する逆Ｌ字形のリブ２２Ｄを有している。リブ２２は、外周枠２２Ａの外周に沿って複数形成されている。逆Ｌ字形のリブ２２Ｄの鉛直方向に延びる面における外側の端縁は外装カバー２４の内面２４Ｓに当接し、リブ２２Ｄの水平方向に延びる面における下側の端縁は外装カバー２４の上端に当接する。これにより、天板部材２２と外装カバー２４とは位置決めされ、移動空間Ｓを覆っている。
【００３７】
図２及び図５に示すように、フラットベッドスキャナ部２１は、画像形成装置３０の本体部３１により下から支持され、左右のヒンジ部２６、２６（図１参照）により、本体部３１の上面を開閉するように揺動可能になっている。ヒンジ部２６は、図３に示すように、外装カバー２４の後面の一部を後方へ突出させて形成した突部２６Ａと、本体部３１の後面から突出した突部２６Ｂと、それらを貫通する軸２６Ｃとからなる。軸２６Ｃは、キャリッジ４１の移動方向と平行に延びている。軸２６Ｃの中心がフラットベッドスキャナ部２１の揺動軸心である。このため、フラットベッドスキャナ部２１は、軸２６Ｃ回りで前端を上下方向に揺動することができる。フラットベッドスキャナ部２１が開放状態であれば、画像形成装置３０の内部のメンテナンスを実行することができる。
【００３８】
図２に示すように、プラテンガラス２２Ｂは、例えば、Ａ３サイズの原稿をその長辺を左右方向（キャリッジ４１の移動方向と平行な方向）にして支持することができる大きさを有している。一方、画像形成装置３０の給紙トレイ３３Ａ、３３Ｂは、Ａ４サイズの用紙をその長辺を左右方向にして収容することができる大きさを有している。このため、画像形成部３２は、Ａ４サイズの用紙の長辺に対応する左右幅を有している。フラットベッドスキャナ部２１は、水平方向において本体部３１よりも大きくなっており、複合機１０を上方から見た場合に、フラットベットスキャナ部２１の領域内に画像形成装置３０が重なる形状となっている。この結果、図１〜３に示すように、外装カバー２４は、複合機の前面及び左右両側面において、上端から本体部３１まで内側に連続して傾斜している。また、図２及び図８に示すように、第１収納空間２７Ａは、下方で幅が狭く、上方で幅が広く形成されている。他方、図３及び図５に示すように、第２収納空間２７Ｂは上方から下方までほぼ同じ幅になっている。
【００３９】
図５に示すように、キャリッジ４１の上面には読取部４０が支持されている。読取部４０は、図８に示すように、発光部４０Ｃにより原稿を照射し、原稿の画像をレンズ部４０Ｂを通して光電変換素子４０Ａにより電子データに変換する公知のものである。読取部４０はプラテンガラス２２Ｂの短辺方向に対応する長さを有している。
【００４０】
キャリッジ４１は軸４２によって下側から支持されている。この軸４２は、プラテンガラス２２Ｂの長辺方向と平行に配置されている。ベース部材２３には、図５に示すように、周壁２３Ｂに横向きに開口した貫通丸穴部４３と、上向きに開口した受部４４とが形成されており、軸４２は貫通丸穴部４３に右端を挿入するとともに、受部４４に左端を挿入することによってベース部材２３に取り付けられている。図６に示すように、天板部材２２の外周枠２２Ａには、突壁４５が下方に向けて突設されている。図８に示すように、軸４２は突壁４５により受部４４側の左端が上から押さえられている。
【００４１】
図５及び図７に示すように、軸４２の一端側には駆動プーリ４７が配置され、軸４２の他端側にはテンションプーリ４８が配置されている。駆動プーリ４７とテンションプーリ４８との間には歯付きベルト４６が張架されている。駆動プーリ４７近くの底壁面２３Ａには、第１駆動部としてのモータ５０と、モータ５０の回転を駆動プーリ４７に伝達する減速ギヤ４９とが固定されている。キャリッジ４１は、図８及び図９に示すように、歯付きベルト４６に連結され、モータ５０の正逆回転によって軸４２に沿ってプラテンガラス２２Ｂの長辺方向に往復移動できるようになっている。また、キャリッジ４１は、自動原稿搬送装置６１を使用する際には、搬送読取ガラス２２Ｃと対向する位置で停止するようになっている。
【００４２】
読取部４０を水平面内において傾斜させることなく往復移動方向に移動させるためには、読取部４０のほぼ中央（移動方向と直交する方向の中央）において、キャリッジ４１が歯付きベルト４６と連結されていることが望ましい。また、フラットベッドスキャナ部２１が無駄に大きくならず、軸４２が可及的に移動空間Ｓ内で長く設けられるよう、図５に示すように、周壁２３Ｂは凹部４３及び受部４４の位置には存在しない。また、周壁２３Ｂには、図７及び図９に示すように、受部４４の外側に切欠き２３Ｄが形成されている。この切欠き２３Ｄは天板部材２２に形成された突壁４５によって封止されるようになっている。
【００４３】
図９に示すように、モータ５０には第１通電ケーブル５１が接続されている。第１通電ケーブル５１は、図５に示すように、基板５５（図３参照）に接続される接続線５１Ａと、モータ５０を含む導電性部品を接地するアース線５１Ｂとからなる。接続線５１Ａは、モータ５０に近い位置で左側の周壁２３Ｂを貫通し、周壁２３Ｂと外装カバー２４との間の第１収納空間２７Ａに配置されている。アース線５１Ｂは、モータ５０からやや後方に延びてから左側の周壁２３Ｂを貫通し、周壁２３Ｂと外装カバー２４との間の第１収納空間２７Ａに配置されている。
【００４４】
図８に示すように、周壁２３Ｂには、外装カバー２４に向かって水平方向に延び、先端から上方に延びる断面Ｌ字状の区画壁５２が形成されている。区画壁５２は、第１収納空間２７Ａ内において、周壁２３Ｂとの間に溝５２Ａを形成しており、第１通電ケーブル５１はこの溝５２Ａ内に支持されている。
【００４５】
図９に示すように、区画壁５２は、ヒンジ部２６、２６の近傍を除いて、周壁２３Ｂのほぼ全周にわたって形成されている。第１通電ケーブル５１は、周壁２３Ｂに沿って後方へ延び、後の周壁２３Ｂと外装カバー２４の突部２６Ａとの間の第２収納空間２７Ｂから下方に配線されている。そして、第１通電ケーブル５１は、図３に示すように、突部２６Ｂ内を経て本体部３１内の基板５５に接続されている。第１通電ケーブル５１をこのように配置することにより、第１通電ケーブル５１は、他の構成部品と距離が置かれ、他の構成部品の影響をできるだけ避けることができる。
【００４６】
図９に示すように、読取部４０にはフレキシブルフラットケーブル５４が接続されている。フレキシブルフラットケーブル５４は、ベース部材２３の後の周壁２３Ｂを貫通し、第１通電ケーブル５１と同様、周壁２３Ｂと外装カバー２４の突部２６Ａとの間の第２収納空間２７Ｂから下方に配線されている。そして、フレキシブルフラットケーブル５４は、図３に示すように、突部２６Ａ内を経て本体部３１内の基板５６に接続されている。フレキシブルフラットケーブル５４と第１通電ケーブル５１とは、同じ第２収納空間２７Ｂに配置されるが、影響を避けるように左右に間隔が置かれている。
【００４７】
なお、基板５５は、モータ５０及び後述する第２駆動部としてのモータ６１Ｆを制御するためのものであり、基板５６は、読取部４０の発光部４１Ｃを駆動し、光電変換素子からの信号を処理するためのものである。両基板５５、５６は、別々のものでも、１つに統合されたものでもよい。
【００４８】
区画壁５２は周壁２３Ｂのほぼ全周にわたって形成され、外装カバー２４もほぼその外側に位置している。また、天板部材２２の外周枠２２Ａがそれらの上面を覆っている。このため、外部から天板部材２２と外装カバー２４との間の隙間を通って流入する空気流に含まれる埃等を第１、２収納空間２７Ａ、２７Ｂや区画壁５２と周壁２３Ｂの間の溝で捕捉することができる。その結果、移動空間Ｓ内に進入する埃等を少なくし、読取部４０による読取品質への影響を抑えることができる。
【００４９】
図８に示すように、天板部材２２の外周枠２２Ａには突出壁５３が下方に向かって設けられている。突出壁５３は、区画壁５２の外側で水平方向において重複している。このように、区画壁５２と突出壁５３とが対向して配置されることにより、外部から埃等が入り込むことをさらに抑制することができる。
【００５０】
４．自動原稿搬送部
図１に示す自動原稿搬送部６１は公知の装置と同様のものである。図２に示すように、自動原稿搬送部６１は、原稿供給トレイ６１Ａに支持された原稿を供給ローラ６１Ｂにより送り出す。そして、湾曲経路６１Ｃを経て搬送読取ガラス２２Ｃと対向する位置に原稿を搬送する。この後、排出ローラ６１Ｄにより原稿排出トレイ６１Ｅ上に原稿を排出する。自動原稿搬送部６１を使用する際には、読取部４０は搬送読取ガラス２２Ｃと対向する位置に静止しており、搬送されてきた原稿の画像データを読み取る。読取部４０が読み取る原稿の面とは反対側の面を読み取るため、他の読取部６１Ｇを自動原稿搬送部６１内に配置することもできる。
【００５１】
図３に示すように、自動原稿搬送部６１には、プラテンガラス２２Ｂ上の原稿を押さえるとともに、フラットベッドスキャナ部材２１に対して自動原稿搬送部６１が原稿の厚さに応じて上下動するように、ヒンジ部６２、６２が設けられている。自動原稿搬送部６１の各ヒンジ部６２、６２は、画像形成装置３０のヒンジ部２６、２６のそれぞれ上方に位置している。
【００５２】
ヒンジ部６２は、自動原稿搬送部６１の後面から突出した中空の箱状をなす突部６２Ａと、突部６２Ａ内で軸６２Ｃにより揺動可能に支持されたスライド部６２Ｂとからなる。ベース部材２３の後方の周壁２３Ｂには上下に延びる筒状部２３Ｅが形成されており、スライド部６２Ｂは筒状部２３Ｅにスライド可能に挿入されている。軸６２Ｃは、キャリッジ４１の移動方向と平行に延びている。自動原稿搬送部６１は、軸６２Ｃの中心である揺動軸心周りで、前端を上下方向に揺動する。そして、自動原稿搬送部６１は、プラテンガラス２２Ｂの上面を覆う位置と、開放する位置との間で変位可能となっている。また、自動原稿搬送部６１は、スライド柱部６２Ｂが上下にスライドすることにより、原稿の厚さに応じて高さを変えることができる。
【００５３】
自動原稿搬送部６１には、供給ローラ６１Ｂ及び排出ローラ６１Ｄを駆動するため、第２駆動部としてのモータ６１Ｆが設けられている。モータ６１Ｆには第２通電ケーブル６３が接続されている。第２通電ケーブル６３は、原稿の厚さに応じた自動原稿搬送部６１の上下動に追従するように、第２収納空間２７Ｂ内で屈曲した撓み部位６３Ａを有している。撓み部位６３Ａを含む第２通電ケーブル６３は、ヒンジ部６２の突部６２Ａ内を下向きに配線されている。また、撓み部位６３Ａを含む第２通電ケーブル６３は、図５に示すように、フレキシブルフラットケーブル５４と同様、ヒンジ部２６の第２収納空間２７Ｂ内を下向きに配線されている。そして、第２通電ケーブル６３は、図３に示すように、本体部３１内の基板５５に接続されている。なお、第２通電ケーブル６３も、第一通電ケーブル５１と同様に、モータ６１Ｆから接続される接続線と、モータ６１Ｆを含む導電性部品を接地するアース線とを含んでいる。
【００５４】
自動原稿搬送部６１内に読取部６１Ｇが設けられた場合、読取部６１Ｇにもフレキシブルフラットケーブル６４が接続される。フレキシブルフラットケーブル６４も、原稿の厚さに応じた自動原稿搬送部６１の上下動に追従するように、ヒンジ部２６内でＵ字状に屈曲した撓み部位６４Ａを有している。撓み部位６４Ａを含むフレキシブルフラットケーブル６４も、第２通電ケーブル６３と同様、ヒンジ部６２の突部６２Ａ内を通り、フレキシブルフラットケーブル５４と同様、第２収納空間２７Ｂ内を経て基板５６に接続される。
【００５５】
＜作用効果＞
実施例の複合機１０では、フラットベッドスキャナ部２１の外装カバー２４が画像形成装置３０の本体部３１から連続し、かつ外側に向けて傾斜している。このため、外装カバー２４の内面２４Ｓとフラットベッドスキャナ部２１のベース部材２３における左右両側周壁２３Ｂの外面２３Ｓとの間には、上方に向かって広がった第１収納空間２７Ａが形成されている。そして、キャリッジ４１を移動させるモータ５０から引き出される第１通電ケーブル５１を第１収納空間２７Ａに収納している。このため、第１通電ケーブル５１のために専用の配線スペースを確保する必要がなく、装置の大型化を抑えることができる。また、第１通電ケーブル５１を他の構成部品から離し、ノイズ等の影響を少なくすることができる。
【００５６】
また、この複合機１０では、フラットベッドスキャナ部２１上に配置される自動原稿搬送部６１のモータ６１Ｆから引き出される第２通電ケーブル６３をフラットベッドスキャナ部２１の後側の第２収納空間２７Ｂに通している。このため、一層の装置の大型化を抑えることができる。また、第２通電ケーブルについても、ノイズ等の影響を少なくすることができる。
【００５７】
したがって、この複合機１０によれば、大型化を生じることなく、第１、２通電ケーブル５１、６３を効果的に配線可能である。
【００５８】
さらに、この複合機１０では、周壁２３Ｂから第１収納空間２７Ａに区画壁５２を設けて第１通電ケーブル５１を支持する一方、その区画壁５２を第１通電ケーブル５１の配線に関与しない箇所にも延長して設けている。また、天板部材２２に区画壁５２と対向する突出壁５３を設けている。このため、外部から移動空間Ｓに埃等が進入することを抑制し、読取部４０による読取品質への影響を抑えることができる。
【００５９】
以上において、本発明を実施例に即して説明したが、本発明は上記実施例に制限されるものではなく、その趣旨を逸脱しない範囲で適宜変更して適用できることはいうまでもない。
【００６０】
例えば、実施例では、画像形成装置と画像読取装置とを組み合わせた複合機について説明したが、画像読取装置単体においても本発明を適用できる。また、第１収納空間２７Ａ、及び第２収納空間２７Ｂに配線されるケーブルの種類も上記実施例に記載のものに限定されない。
【産業上の利用可能性】
【００６１】
本発明は画像読取装置や複合機に利用可能である。
【符号の説明】
【００６２】
１０…複合機
２０…画像読取装置
２１…フラットベッドスキャナ部
２２…天板部材
２２Ｂ…プラテンガラス
２３…ベース部材
２３Ａ…底壁
２３Ｂ…周壁
２４…外装カバー
２７…収納空間（２７Ａ…第１収納空間、２７Ｂ…第２収納空間）
３１…本体部
４０…読取部
４１…キャリッジ
５０…第１駆動部（モータ）
５１…第１通電ケーブル
５２…区画壁
５３…突出壁
６１…自動原稿搬送部
６１Ｆ…第２駆動部（モータ）
６３…第２通電ケーブル
【図１】
2014120864.tif 000003
【図２】
2014120864.tif 000004
【図３】
2014120864.tif 000005
【図４】
2014120864.tif 000006
【図５】
2014120864.tif 000007
【図６】
2014120864.tif 000008
【図７】
2014120864.tif 000009
【図８】
2014120864.tif 000010
【図９】
2014120864.tif 000011